(57)【要約】      （修正有）【課題】磁気治療に使われる磁石を収容して磁気を遮断することができる磁石用磁気遮断ケースを提供する。【解決手段】長手方向の一端側がＳ極、他端側がＮ極となる棒磁石１０を収容し囲繞する本体２０およびキャップ３０を備え、本体２０は、棒磁石１０の一方の極側が摺動自在に収容される磁性材で構成された第１の金属パイプと、第１の金属パイプの外周を覆う樹脂で構成された有底筒状の第１の外郭と、第１の外郭の底部に第１の金属パイプの内端を覆うように配置された磁性材でなる第１の金属板と、を備え、キャップ２０は、棒磁石１０の残りの他方の極側が摺動自在に収容される磁性材で構成された第２の金属パイプと、第２の金属パイプの外周を覆う樹脂で構成された有底筒状の第２の外郭と、第２の外郭の底部に第２の金属パイプの内端を覆うように配置された磁性材でなる第２の金属板と、を備えるものである。【選択図】図１
0003200245.tif 000002
【実用新案登録請求の範囲】
【請求項１】
長手方向の一端側がＳ極、他端側がＮ極となる棒磁石を収容し囲繞する本体およびキャップを備えた磁石用磁気遮断ケースであって、
前記本体は、
前記棒磁石の一方の極側が摺動自在に収容される磁性材で構成された第１の金属パイプと、
前記第１の金属パイプの外周を覆う樹脂で構成された有底筒状の第１の外郭と、
前記第１の外郭の底部に前記第１の金属パイプの内端を覆うように配置された磁性材でなる第１の金属板と、
を備え、
前記キャップは、
前記棒磁石の他方の極側が摺動自在に収容される磁性材で構成された第２の金属パイプと、
前記第２の金属パイプの外周を覆う樹脂で構成された有底筒状の第２の外郭と、
前記第２の外郭の底部に前記第２の金属パイプの内端を覆うように配置された磁性材でなる第２の金属板と、
を備えることを特徴とする磁石用磁気遮断ケース。
【請求項２】
前記第１の金属パイプの内周面と前記第２の金属パイプの内周面とに、それぞれ樹脂コーティングが施されていることを特徴とする請求項１に記載の磁石用磁気遮断ケース。
【請求項３】
前記第１の金属パイプ、前記第１の金属板、前記第２の金属パイプ、および前記第２の金属板は、いずれも鉄、コバルト、ニッケル、又はそれらをもとにした合金で構成されていることを特徴とする請求項１又は２に記載の磁石用磁気遮断ケース。
【請求項４】
前記本体および前記キャップに収容され囲繞される棒磁石は、棒状のアルニコ磁石と、該アルニコ磁石の端部に磁気吸着により取り付けられたチップ状のネオジム磁石とで構成されており、
前記第１の金属板における前記棒磁石と対向する側の端面、および前記第２の金属板における前記棒磁石と対向する側の端面には、それぞれ所定厚さの樹脂板が一体化されて設けられていることを特徴とする請求項１〜３のいずれか一項に記載の磁石用磁気遮断ケース。
【請求項５】
前記本体と前記キャップとは、印籠継手により接続されることを特徴とする請求項１〜４のいずれか一項に記載の磁石用磁気遮断ケース。
【考案の詳細な説明】
【技術分野】
【０００１】
本考案は、磁石用磁気遮断ケースに関するものである。
【背景技術】
【０００２】
磁石を収納する技術としては、例えば非磁性材で構成されるカプセルに、軸線を挟む一方の側がＳ極、他方の側がＮ極となる円柱形磁石を軸線回りに回転自在に収納したものがある。この技術においては、非磁性材で構成されるカプセル内で円柱形磁石が磁気吸着されることなく回転できるので、円柱形磁石から発生しカプセルを透過する磁力だけでなく、円柱形磁石がカプセルの中で回転する度に磁気誘導現象を起こしてカプセルの外側に新たな磁力線を生じさせることができる。このため、磁気治療効果を高めることができるとされている（例えば、特許文献１参照）。
【先行技術文献】
【特許文献】
【０００３】
【特許文献１】特開２００３−２３５６２０号公報（図１〜図４）
【考案の概要】
【考案が解決しようとする課題】
【０００４】
このように、特許文献１のものは、円柱形磁石から発生しカプセルを透過する磁力、及び円柱形磁石がカプセルの中で回転することによりカプセルの外側に新たに生じる磁力線を用いて磁気治療を行うものであり、カプセルによって磁気を遮断あるいは減磁するものではなかった。そのため、カプセルを透過する磁気やカプセルの外側に生じる磁力線が周辺の電気機器に悪影響を与える可能性があり、不使用時や保管時の取り扱いに注意を払う必要があった。
【０００５】
本考案は、前記のような課題を解決するためになされたものであり、磁気治療に使われる磁石を収容して磁気を遮断することができる磁石用磁気遮断ケースを提供することを目的とする。
【課題を解決するための手段】
【０００６】
本考案に係る磁石用磁気遮断ケースは、長手方向の一端側がＳ極、他端側がＮ極となる棒磁石を収容し囲繞する本体およびキャップを備えた磁石用磁気遮断ケースであって、本体は、棒磁石の一方の極側が摺動自在に収容される磁性材で構成された第１の金属パイプと、第１の金属パイプの外周を覆う樹脂で構成された有底筒状の第１の外郭と、第１の外郭の底部に第１の金属パイプの内端を覆うように配置された磁性材でなる第１の金属板と、を備え、キャップは、棒磁石の残りの他方の極側が摺動自在に収容される磁性材で構成された第２の金属パイプと、第２の金属パイプの外周を覆う樹脂で構成された有底筒状の第２の外郭と、第２の外郭の底部に第２の金属パイプの内端を覆うように配置された磁性材でなる第２の金属板と、を備えるものである。
【０００７】
また、本考案に係る磁石用磁気遮断ケースにおいては、第１の金属パイプの内周面と第２の金属パイプの内周面とに、それぞれ樹脂コーティングが施されていることが好ましい。
【０００８】
また、本考案に係る磁石用磁気遮断ケースにおいては、第１の金属パイプ、第１の金属板、第２の金属パイプ、および第２の金属板は、いずれも鉄、コバルト、ニッケル、又はそれらをもとにした合金で構成されていることが好ましい。
【０００９】
また、本考案に係る磁石用磁気遮断ケースにおいては、本体およびキャップに収容され囲繞される棒磁石は、棒状のアルニコ磁石と、このアルニコ磁石の端部に磁気吸着により取り付けられたチップ状のネオジム磁石とで構成されており、第１の金属板における棒磁石と対向する側の端面、および第２の金属板における棒磁石と対向する側の端面には、それぞれ所定厚さの樹脂板が一体化されて設けられていることが好ましい。
【００１０】
また、本考案に係る磁石用磁気遮断ケースにおいては、本体とキャップとは、印籠継手により接続されることが好ましい。
【考案の効果】
【００１１】
本考案に係る磁石用磁気遮断ケースは、透磁率の高い磁性材で構成された第１の金属パイプ、第１の金属板、第２の金属パイプ、および第２の金属板で、棒磁石を囲むことができる。このため、第１の金属パイプ、第１の金属板、第２の金属パイプ、および第２の金属板がＮ極からＳ極へ向かう磁力線の磁路となり、磁力線が外に出るのを抑制することができる。
また、本考案に係る磁石用磁気遮断ケースは、第１の金属パイプ、第１の金属板、第２の金属パイプ、および第２の金属板が、外側を樹脂で構成された第１の外郭および第２の外郭で覆われているので、磁気遮断効果を高めることができる。
【図面の簡単な説明】
【００１２】
【図１】本考案の実施の形態に係る磁石用磁気遮断ケースに棒磁石が収容されている状態を示す縦断面図である。
【図２】棒磁石の側面図である。
【図３】本考案の実施の形態に係る磁石用磁気遮断ケースの本体の縦断面図である。
【図４】本考案の実施の形態に係る磁石用磁気遮断ケースの本体を上方から見た図である。
【図５】本考案の実施の形態に係る磁石用磁気遮断ケースのキャップの縦断面図である。
【図６】本考案の実施の形態に係る磁石用磁気遮断ケースのキャップを下方から見た図である。
【図７】本考案の実施の形態に係る磁石用磁気遮断ケースへの棒磁石の収納手順の説明図である。
【図８】本考案の実施の形態に係る磁石用磁気遮断ケースへの棒磁石の収納手順の説明図である。
【考案を実施するための形態】
【００１３】
図１は本考案の実施の形態に係る磁石用磁気遮断ケースに棒磁石が収容されている状態を示す縦断面図である。
図１に示すように、本実施の形態の磁石用磁気遮断ケース１００は、磁気治療に用いられる棒磁石１０を収容し囲繞する本体２０およびキャップ３０を備えている。本体２０およびキャップ３０は、印籠継手４０によって接続される。
【００１４】
図２は棒磁石の側面図である。
図２に示すように、棒磁石１０は、長手方向の一端側がＳ極、他端側がＮ極となっていて、Ｎ極側に巻かれたテープ１１によってＳ極とＮ極とを識別できるようになっている。
また、棒磁石１０は、アルミニウム、ニッケル、コバルトを原料とした棒状のアルニコ磁石１２と、アルニコ磁石１２のＳ極端部（又はＮ極端部）に磁気吸着により着脱自在に取り付けたチップ状のネオジム磁石１３とで構成されている。このように、棒磁石１０を棒状のアルニコ磁石１２とチップ状のネオジム磁石１３とで構成することで、アルニコ磁石１２の経年劣化の問題を解消することができる。なお、チップ状のネオジム磁石１３は、厚みが１ｍｍ以上有れば磁気治療に必要な磁気特性が得られる。
【００１５】
図３は本考案の実施の形態に係る磁石用磁気遮断ケースの本体の縦断面図である。図４は本考案の実施の形態に係る磁石用磁気遮断ケースの本体を上方から見た図である。
図３および図４に示すように、本体２０は、棒磁石１０の一方の極側（例えばＳ極側）が摺動自在に収容される磁性材で構成された第１の金属パイプである本体側鉄パイプ２１と、本体側鉄パイプ２１の外周を覆う樹脂（例えばポリプロピレン）で構成された有底筒状の第１の外郭である本体外郭２２とを有する。
【００１６】
また、本体２０は、本体外郭２２の底部に、本体側鉄パイプ２１の内端を覆うように磁性材でなる第１の金属板すなわち本体側鉄板２３が配置されている。また、本体側鉄板２３における棒磁石１０のネオジム磁石１３と対向する側の端面に所定厚さの樹脂板２４が一体化されて設けられている。樹脂板２４は、本体側鉄板２３とネオジム磁石１３との間に介在することで、本体側鉄板２３に対するネオジム磁石１３の磁気吸着力を弱め、本体２０内でネオジム磁石１３が本体側鉄板２３に磁気吸着されるのを防ぐものである。これによって、本体２０内でネオジム磁石１３が棒磁石１０から脱落するのが防止される。
なお、樹脂板２４は、厚さが１．５ｍｍ以上有れば本体２０内でネオジム磁石１３が本体側鉄板２３に磁気吸着するのを防ぐ効果が得られる。
また、本体側鉄板２３および本体側鉄パイプ２１の素材としては、鉄に限定されるものでなく、その他の磁性材、例えば、コバルト、ニッケル、又はそれら（鉄を含む）をもとにした合金を用いても良い。それらの素材は、いずれも透磁率が高く、Ｎ極からＳ極へ向かう磁力線の磁路となり、磁力線が外に出るのを抑制する効果を発揮する。
また、樹脂板２４の素材としては、ここではポリプロピレンを用いているが、その他の樹脂、例えば、ポリエチレン、ポリ塩化ビニル、又はポリスチレンの採用も可能である。
【００１７】
また、本体２０は、本体側鉄パイプ２１の内周面に、例えばポリプロピレンでなる本体側樹脂コーティング２５が施されている。この本体側樹脂コーティング２５により、棒磁石１０の外周面と本体側鉄パイプ２１の内周面との間の摩擦が低減され、棒磁石１０の出し入れがスムーズになる。
【００１８】
また、本体２０は、本体外郭２２におけるキャップ３０と対向する本体開口部２６側の外周面に、段部２２ａによって小径部２２ｂが形成され、この小径部２２ｂが印籠継手４０（図１）の出っ張り４１として構成されている。なお、小径部２２ｂの本体開口部２６側の端面（以下、「小径部の上端面」という）２２ｃと本体側鉄パイプ２１の本体開口部２６側の端面（以下、「本体側鉄パイプの上端面」という）２１ａとは、面一となっている。
【００１９】
図５は本考案の実施の形態に係る磁石用磁気遮断ケースのキャップの縦断面図である。図６は本考案の実施の形態に係る磁石用磁気遮断ケースのキャップを下方から見た図である。
図５および図６に示すように、キャップ３０は、棒磁石１０の他方の極側（Ｎ極側）が摺動自在に収容される磁性材で構成された第２の金属パイプであるキャップ側鉄パイプ３１と、キャップ側鉄パイプ３１の外周を覆う樹脂（例えばポリプロピレン）で構成された有底筒状の第２の外郭であるキャップ外郭３２とを有する。
【００２０】
また、キャップ３０は、キャップ外郭３２の底部に、キャップ側鉄パイプ３１の内端を覆うように磁性材でなる第２の金属板すなわちキャップ側鉄板３３が配置されている。また、キャップ側鉄板３３における棒磁石１０と対向する側の端面に所定厚さの樹脂板３４が一体化されて設けられている。樹脂板３４は、キャップ側鉄板３３とネオジム磁石１３との間に介在することで、キャップ側鉄板３３に対するネオジム磁石１３の磁気吸着力を弱め、キャップ３０内でネオジム磁石１３がキャップ側鉄板３３に磁気吸着されるのを防ぐものである。これによって、キャップ３０内でネオジム磁石１３が棒磁石１０から脱落するのが防止される。
なお、樹脂板３４は、厚さが１．５ｍｍ以上有ればキャップ３０内でネオジム磁石１３がキャップ側鉄板３３に磁気吸着するのを防ぐ効果が得られる。
また、キャップ側鉄板３３およびキャップ側鉄パイプ３１の素材としては、鉄に限定されるものでなく、その他の磁性材、例えば、コバルト、ニッケル、又はそれら（鉄を含む）をもとにした合金を用いても良い。それらの素材は、いずれも透磁率が高く、Ｎ極からＳ極へ向かう磁力線の磁路となり、磁力線が外に出るのを抑制する効果を発揮する。
また、樹脂板３４の素材としては、ここではポリプロピレンを用いているが、その他の樹脂、例えば、ポリエチレン、ポリ塩化ビニル、又はポリスチレンの採用も可能である。
【００２１】
また、キャップ３０は、キャップ側鉄パイプ３１の内周面に、例えばポリプロピレンでなるキャップ側樹脂コーティング３５が施されている。このキャップ側樹脂コーティング３５により、棒磁石１０の外周面とキャップ側鉄パイプ３１の内周面との間の摩擦が低減され、棒磁石１０の出し入れがスムーズになる。
【００２２】
また、キャップ３０は、キャップ外郭３２における本体２０と対向するキャップ開口部３６側の内周面に、段部３２ａによって拡張部３２ｂが形成され、この拡張部３２ｂが印籠継手４０（図１）の受口（印籠型）４２として構成されている。なお、キャップ外郭３２における拡張部３２ｂ内の段部３２ａの端面とキャップ側鉄パイプ３１のキャップ開口部３６側の端面（以下、「キャップ側鉄パイプの下端面」という）３１ａとは、面一となっている。そして、印籠継手４０の受口４２内に出っ張り４１を差し込み、キャップ外郭３２の段部３２ａと本体外郭２２の小径部の上端面２２ｃとが当接するまで本体２０とキャップ３０とをつきあわせた際、本体側鉄パイプの上端面２１ａとキャップ側鉄パイプの下端面３１ａとが当接し、連続磁路を形成できるようになっている。
【００２３】
次に、本実施の形態の磁石用磁気遮断ケース１００へ棒磁石１０を収納する手順を図７および図８に基づいて、図１〜図６を参照しながら説明する。図７および図８はいずれも本考案の実施の形態に係る磁石用磁気遮断ケースへの棒磁石の収納手順の説明図である。なお、ここではネオジム磁石１３がＳ極側に取り付けられているものとする。
磁気治療を行う場合、棒磁石１０は、図７および図２に示すように、磁石用磁気遮断ケース１００から取り出されて使用される。磁気治療で使われる磁場は、二種類に分けられる。ひとつは定常磁場、もうひとつは変動磁場である。定常磁場とは、磁場が時間によって変化せず、常に一定の状態にある磁場をいう。永久磁石が定常磁場の代表であり、本実施の形態の棒磁石１０は、定常磁気治療器となる。
【００２４】
一方、変動磁場は、時間とともに磁気の強さや方向が変化するもので、人工的にしかつくり出せないものである。変動磁場には、変化のしかたによってさらに交番磁場(交流磁気）、脈動磁場、回転磁場、移動磁場、パルス磁場があるが、ここでは説明を省略する。
【００２５】
定常磁気治療は、棒磁石１０のＳ極を身体に向けて行う施術と、棒磁石１０のＮ極を身体に向けて行う施術があり、それぞれ次のような治療効果がある。
【００２６】
Ｓ極を身体に向けた場合
・コラーゲンや脂肪細胞が配向する現象が見出され、痩身効果がある。
・筋肉痛や疲労の回復が促進される。
・デトックス（detox）効果がある。
【００２７】
Ｎ極を身体に向けた場合
・不足している栄養素などの吸収が促進される。
・薬などの成分の吸収が良くなる。
【００２８】
定常磁気治療後、棒磁石１０を磁石用磁気遮断ケース１００へ収納するには、まず棒磁石１０の一方（ここではＮ極側）を持ち、ネオジム磁石１３が磁気吸着されているＳ極側を、本体開口部２６より本体２０内に挿入し（図７）、ネオジム磁石１３が樹脂板２４に当接するまで押し込む（図８）。次いで、キャップ３０を、棒磁石１０の他方（Ｎ極側）に被せ、印籠継手４０のキャップ３０側の受口４２内に本体２０側の出っ張り４１を差し込み、キャップ外郭３２の段部３２ａと本体外郭２２の小径部の上端面２２ｃとが当接するまでキャップ３０を押し込む。これにより、本体側鉄パイプの上端面２１ａとキャップ側鉄パイプの下端面３１ａとが当接し、連続磁路が形成され、Ｎ極からＳ極へ向かう磁力線が外に出るのが抑制される。
【００２９】
このように、本実施の形態の磁石用磁気遮断ケース１００においては、磁性材で構成された本体側鉄パイプ２１、本体側鉄板２３、キャップ側鉄パイプ３１、およびキャップ側鉄板３３で、棒磁石１０を囲むことができる。このため、本体側鉄パイプ２１、本体側鉄板２３、キャップ側鉄パイプ３１、およびキャップ側鉄板３３がＮ極からＳ極へ向かう磁力線の磁路となり、磁力線が外に出るのを抑制することができる。
【００３０】
また、本体側鉄パイプ２１、本体側鉄板２３、キャップ側鉄パイプ３１、およびキャップ側鉄板３３の外側を樹脂で構成された本体外郭２２およびキャップ外郭３２で覆ったので、磁気遮断効果を高めることができる。
【００３１】
また、本体側鉄パイプ２１の内周面とキャップ側鉄パイプ３１の各内周面に、それぞれ樹脂コーティング（２５，３５）を施したので、棒磁石１０の外周面と本体側鉄パイプ２１およびキャップ側鉄パイプ３１の各内周面との間の摩擦が低減され、棒磁石１０の出し入れがスムーズになる。
【００３２】
また、第１の金属パイプ、第１の金属板、第２の金属パイプ、および第２の金属板を、いずれも透磁率の高い磁性材である鉄、コバルト、ニッケル、又はそれらをもとにした合金で構成したので、Ｎ極からＳ極へ向かう磁力線が外に出るのを抑制する効果を高めることができる。
【００３３】
また、本体２０およびキャップ３０に収容され囲繞される棒磁石１０は、棒状のアルニコ磁石１２と、このアルニコ磁石１２の端部に磁気吸着により取り付けられたチップ状のネオジム磁石１３とで構成したので、アルニコ磁石１２の経年劣化の問題を解消することができる。
【００３４】
また、本体側鉄板２３における棒磁石１０と対向する側の端面、およびキャップ側鉄板３３における棒磁石１０と対向する側の端面には、それぞれ厚さが１．５ｍｍ以上の樹脂板２４，３４を一体化して設けたので、本体２０およびキャップ３０のいずれにおいても、本体側鉄板２３およびキャップ側鉄板３３に対するネオジム磁石１３の磁気吸着力を弱めることができる。このため、本体２０およびキャップ３０の内部でネオジム磁石１３が棒磁石１０から脱落するのを防ぐことができ、本体２０およびキャップ３０に対する棒磁石１０の挿入方向を規定する必要が無くなり、使い勝手が向上する。
【００３５】
また、本体２０とキャップ３０とは、出っ張り４１と受口４２とでなる印籠継手４０により接続されるようにしたので、本体２０へのキャップ３０の着脱をワンタッチで行うことができ、使い勝手が向上する。また、このように印籠継手４０とすることで、継手部を含む本体２０とキャップ３０の外郭断面の形状を、円形、楕円形、多角形、繭型等、各種の形態をとらせることができ、意匠的自由度が大きくなる。
なお、出っ張り４１に雄ねじを設け、受口４２に雌ねじを設けて、本体２０とキャップ３０とを締結できるようにしてもよい。
【符号の説明】
【００３６】
１０  棒磁石、１１  テープ、１２  アルニコ磁石、１３  ネオジム磁石、２０  本体、２１  本体側鉄パイプ（第１の金属パイプ）、２１ａ  本体側鉄パイプの上端面、２２  本体外郭（第１の外郭）、２２ａ  段部、２２ｂ  小径部、２２ｃ  小径部の上端面、２３  本体側鉄板（第１の金属板）、２４  樹脂板、２５  本体側樹脂コーティング、２６  本体開口部、３０  キャップ、３１  キャップ側鉄パイプ（第２の金属パイプ）、３１ａ  キャップ側鉄パイプの下端面、３２  キャップ外郭（第２の外郭）、３２ａ  段部、３２ｂ  拡張部、３３  キャップ側鉄板（第２の金属板）、３４  樹脂板、３５  キャップ側樹脂コーティング、３６  キャップ開口部、４０  印籠継手、４１  出っ張り、４２  受口（印籠型）、１００  磁石用磁気遮断ケース。
【図１】
0003200245.tif 000003
【図２】
0003200245.tif 000004
【図３】
0003200245.tif 000005
【図４】
0003200245.tif 000006
【図５】
0003200245.tif 000007
【図６】
0003200245.tif 000008
【図７】
0003200245.tif 000009
【図８】
0003200245.tif 000010